(57)【要約】      （修正有）【課題】シュレッダー本体に接合された投入口の厚み以上の被細断物８が細断刃に引込まれることを未然に自動で防ぐとともに、使用者が細断する意図のない被細断物の侵入を発見した際に、自らの意思によって素早く緊急停止させることを可能とし、安全性を高めるたシュレッダーを提供する。【解決手段】シュレッダーの投入口下板２と投入口上板３以上の厚みを持った被細断物が投入されると、シュレッダー天板６に接合された投入口上板が押され、細断処理を自動で緊急停止させる機構を持つとともに、使用者が緊急停止をおこなう場合には、投入口上板３を押すことにより細断処理の中断を可能とする。【選択図】図１
2008080318.tif 000002
【特許請求の範囲】
【請求項１】
シュレッダー上部の細断刃へと導く開口部に設けられた、投入可能な厚さを決定する、投入口において、投入口を通過する際に、投入口下板と投入口上板以上の厚みを持った被細断物が投入されると、シュレッダー天板に接合された投入口上板が押され、シュレッダー本体から投入口上板の裏側に伸びた、投入口上板の押し込みを受け止める、支え板に設置された、停止用のマクロスイッチを押すことによって、細断処理を緊急停止させる機能をもった投入口。
【請求項２】
細断をおこなう使用者自身の意思で細断処理を停止させたい場合、投入口上板を押すことによって、請求項１の機構により細断処理を緊急停止させる機能をもった投入口。
【発明の詳細な説明】
【技術分野】
【０００１】本発明は、シュレッダーの投入口の機構に関するもので、投入可能な厚さを決定する、投入口において、投入口以上の被細断物の侵入に対して、投入口を通過する直前に検知し、自動的に細断処理を停止する機能を持つ。【０００２】また、投入可能な厚さの被細断物の細断を緊急停止したい場合にも投入口上板を押すことにより、細断を停止する機能を持つ。
【背景技術】
【０００３】従来のシュレッダーにおいて、シュレッダー自身の細断能力を超えて被細断物が投入されないように、投入口の幅に制限を加えていた。これは細断能力以上の被細断物が投入されると細断刃が駆動できなくなり、駆動モーターに過負荷を与え、紙詰まりやモーターの焼付けなどの弊害を及ぼすほか、安全対策として、指などの異物が入らないように防止するためのものであった。【０００４】このため、投入口の安全を確保する提案が幾つかされている。特開２００２−２３９４０５では、シュレッダーの被細断物投入口の通路に、被細断物の厚味を検知する検知機構を設け、所定の厚味以上の被細断物が通過した場合に細断刃の駆動モーターを停止するものである。またその検知機構は、厚味制限筒体であって、投入口側板間に架設した支軸に回動可能に軸支し、コイルバネによってフロントシュートカバー側に付勢すると共にリアエンドカバーで回動を規制し、細断可能枚数を規制し、厚味制限筒体の後壁に近接してマイクロスイッチを設け、厚味制限筒体の回動によってマイクロスイッチが作動して細断刃の駆動モーターを停止するようにしたシュレッダーの被細断物投入口であった。【０００５】この機構によって、厚味制限筒体を通過する際に細断能力以上の被細断物の細断を防ぐことが可能となるが、厚味制限筒体が投入口の奥にあることから、指やネックレスなどは既に投入口に挟まれている状態となるため、怪我や破損の可能性が残るものであった。【０００６】また、特開２００４−３２１９９３では、文書細断機の本体上部に投入口下板と投入口上板とを相対応するように配設して細断刃の設計上細断可能な文書の厚みより大きい間隔をもった開口部となし、当該開口部に細断可能以上の厚みの被細断文書や異物の侵入を防ぐ安全シャッター機構を設けてなる文書細断機の被細断文書投入口において、当該安全シャッター機構は、投入口の開口部を塞ぐ縦板状のシャッター部と、被細断文書の正味投入可能間隔を決定しそこを通過する文書を案内する折曲部と、当該折曲部に連続形成されている横板状の回動腕部と、その回動腕部の先端部に設けた回動用支軸とが連続形成されてなる断面形状がＬ字形板状部材で構成され、その回動腕部の先端部に設けた回動用支軸を支点として前記Ｌ字形板状部材が回動自在なるように枢着されており、平時、当該Ｌ字形板状部材のシャッター部と前記投入口上板とがストッパーを介して衝当して被細断物の挿入方向への回動が規制されているが、そのときはＬ字形板状部材のシャッター部が下がって前記開口部の一部が塞がり、その下端の折曲部と投入口下板との間で構成される開口部の正味投入可能間隔が、設計細断可能枚数以下の厚みになるよう保持されており、投入途中の被細断文書や異物を引き抜こうとしたり、被細断文書や異物が詰まって細断刃の駆動モーターが停止したり、逆転してそれらを排出しようとしたりして当該Ｌ字形板状部材に引き抜き方向への負荷がかかったときは、シャッター部と折曲部が引き抜き方向に自由回動して開口部の間隔が開くようにし、Ｌ字形板状部材に引き抜き方向への負荷がかかったとき、Ｌ字形板状部材が引き抜き方向に自由回動して開口部の間隔が開いた状態となるが、その際、回動したＬ字形板状部材のシャッター部がシャッター開位置検知スイッチを作動させて、細断刃の駆動モーターの作動を停止させるようにした。加えて、前記Ｌ字形板状部材のシャッター部に装着したストッパーは、その衝当距離の微調整が可能なように構成するとともに、平時、前記Ｌ字形板状部材のシャッター部が当該ストッパーを介して投入口上板に衝当し、前記Ｌ字形板状部材の被細断物挿入方向への回動が規制されるように構成されておき、当該ストッパーの衝当距離を調整することにより、Ｌ字形板状部材の折曲部と投入口下板との間で構成される開口部の正味投入可能間隔を調整できるようにしたことを特徴とする文書細断機の被細断文書投入口であった。【０００７】この機構によって、投入口に挟まった異物を用意に引き抜くことが可能となるが、指やネックレスなどは、やはり投入口に挟まれている状態となるため、怪我や破損の可能性が残るものであった。また、大型のシュレッダーでは、細断刃の引込む力は強力であるため、シュレッダーの動作中に引き抜く行為自体が困難であった。【０００８】また、特開平０９−０７０５５３では、常時上方向に付勢される広い面積のスイッチ板を細断部の天板とほぼ同一面上に設け、このスイッチ板の直下の任意の位置にスイッチ板の降下により作動して回転刃を停止させるマイクロスイッチを設け、細断部の天板内側の両側中央部にそれぞれ設けた支持体に回動自在に支承する一対の作動杆の先端に他のスイッチに較べて広い面積としたスイッチ板を取り付け、このスイッチ板は上記天板に固定した幅広の板バネで上方向に付勢して支承すると共に、スイッチ板の直下の任意の位置にスイッチ板の降下により作動して回転刃を停止させるマイクロスイッチを設け、他のスイッチに較べて広い面積としたスイッチ板の下面の複数箇所に案内軸を介して、スプリングを立設してスイッチ板を上下移動可能に支承すると共に、案内板の直下の任意の位置にスイッチ板の降下により作動して回転刃を停止させるマイクロスイッチを設け、マイクロスイッチを複数とし、ＯＲ論理により何れかのマイクロスイッチの動作により回転刃を停止させるようにしたことを特徴とするシュレッダーの回転刃の停止スイッチであった。【０００９】この機構によって、緊急時にスイッチを探すことが容易になるが、引込まれる被細断物から目を離し、停止スイッチを探す必要がある。また、停止スイッチを押下するために手を離す必要もあった。
【発明の開示】
【発明が解決しようとする課題】
【００１０】本発明は投入可能な厚さを決定する、シュレッダー本体に接合された投入口以上の被細断物が細断刃に引込まれることを未然に自動で防ぐとともに、使用者が細断する意図のない被細断物の侵入を発見した際に、自らの意思によって素早く緊急停止させることを可能とし、シュレッダーの安全性を高めることを目的とする。
【課題を解決するための手段】上記課題を解決するために、シュレッダー上部の細断刃へと導く開口部に設けられた、投入可能な厚さを決定する、投入口において、投入口を通過する際に、投入口下板と投入口上板以上の厚みを持った被細断物が投入されると、シュレッダー天板に接合された投入口上板が押され、シュレッダー本体から投入口上板の裏側に伸びた、投入口上板の押し込みを受け止める、支え板に設置された、停止用のマイクロスイッチを押すことによって、細断処理を緊急停止させる手段を用いた。【００１１】上記構成にかかる投入口上板はシュレッダー天板に接合されており、投入口下板と投入口上板の幅以上の被細断物が投入されると、細断刃の引込む力によって、投入口上板が細断刃方向に押されてたわむ。【００１２】この投入口上板のたわみにより、シュレッダー本体から投入口上板の裏側に橋渡しされた、支え板に設置されている停止用のマイクロスイッチが押され、細断処理を停止させる。【００１３】また、支え板により、投入口上板が投入口の幅を広げることを防ぎ、被細断物の引込みを防止する。【００１４】投入口上板は人が手で押下できる大きさとし、細断者の意思によって素早く緊急停止させる。
【発明の効果】
【００１５】本発明により、指などの巻き込みによる事故に対して、投入口上板を通過する直前で巻き込みを防ぐことが可能となるとともに、投入口上板の直前で巻き込みを防ぐため異物の排除が容易になる。【００１６】また、ネクタイなどといった投入口上板を通過してしまう被細断物に対して、使用者が停止ボタンを探す際に、被細断物の間近に細断を停止させる投入口上板が設置されていることから、使用者は停止ボタンが既に視界に入っている状態であるため、停止ボタンを探す必要がなく、細断処理を緊急停止させることが可能となり、使用者のパニックを防ぎ、事故を回避することが可能となる。
【実施例１】
【００１７】図１、図２、図３に示すように、本発明に係るシュレッダーの投入口１は、投入口下板２と投入口上板３が隙間を空けて設置されることにより、投入口の大きさを決定しており、細断能力以下かつ指などが入らない幅となっている。【００１８】投入口上板３はシュレッダー天板６と接合されており、平時はシュレッダー天板６と投入口上板３は直列に並んでいるが、投入口下板２と投入口上板３の幅以上の被細断物が投入されると、細断刃の引込む力によって、投入口上板３が細断刃方向に押され、シュレッダー天板６との接合部分に負荷がかかってたわむように構成されている。投入口上板３のたわみは、支え板５が受け止め、投入口上板３のたわみ幅を制御するとともに、スイッチ押下用突起物４がマクロスイッチ７を押下して、細断処理を中断する構成となっている。【００１９】なお、図１は平時の投入口上板の状態となっており、図２は投入口以上の被細断物の侵入を検知した際に、シュレッダー天板６との接合部分に負荷がかかってたわみが発生した状態である。
【図面の簡単な説明】
【００２０】
【図１】本発明に係るシュレッダーの投入口を設けた上部シュレッダー機構部分を示す縦断説明図である。
【図２】本発明に係るシュレッダーの投入口で、投入口以上の被細断物の侵入を検知した際に、投入口の稼動状態の構成を示す要部縦断側面図である。
【図３】シュレッダー投入口下板とシュレッダー天板の間に橋渡しされたマクロスイッチが設置された支え板とシュレッダー天板に接合する投入口上板との関係を示す斜視図である。
【符号の説明】
【００２１】１投入口
２投入口下板
３投入口上板
４スイッチ押下用突起物
５支え板
６シュレッダー天板
７マクロスイッチ
８被細断物
９細断刃
１０駆動モータ
１１シュレッダースイッチ
【図１】
2008080318.tif 000003
【図２】
2008080318.tif 000004
【図３】
2008080318.tif 000005